(57)【要約】【課題】通話を行なっている状態で、通話相手に対し任意の音楽を高品質で聴かせることができ、これによりユーザの娯楽性の向上を図り得る電話システムを提供する。【解決手段】ＩＰ電話機ＴＡにてＩＰ電話機ＴＢとの間で音声コネクションを確立後、ＩＰ電話機ＴＢからの応答に応じてＩＰ電話機ＴＡ−ＢＧＭサーバＳＶとＩＰ電話機ＴＢ−ＢＧＭサーバＳＶとの間にＢＧＭコネクションを確立する。ＩＰ電話機ＴＡにて選曲されたＢＧＭをＩＰ電話機ＴＢにてＩＰ電話機ＴＡのユーザが希望するＢＧＭデータを音響再生するようにしている。【選択図】      図１
2007274480.tif 000002
【特許請求の範囲】
【請求項１】
音声パケットを伝送する通信ネットワークに接続される複数の電話端末のうち第１の電話端末と第２の電話端末との間で通信コネクションを確立して通信を実行する電話システムにおいて、
前記第１の電話端末は、
互いに異なる複数の音楽データの中から任意の音楽データを選択的に取得する取得手段と、
前記音楽データを取得した場合に、前記第２の電話端末に対し前記通信ネットワークを介して前記音楽データの受信要求を送信する要求送信手段と、
前記受信要求の送出に対し前記第２の電話端末から応答が返送された場合に、前記音楽データを前記第２の電話端末に対し前記通信ネットワークを介して送信する音楽データ送信手段とを備え、
前記第２の電話端末は、
前記第１の電話端末から前記通信ネットワークを介して前記音楽データの受信要求が到来した場合に、前記第１の電話端末から送られる当該音声データを音響再生する再生手段を備えたことを特徴とする電話システム。
【請求項２】
前記取得手段は、前記通信ネットワーク上の前記複数の音楽データを管理する音楽提供サーバとの通信により任意の音楽データを取得することを特徴とする請求項１記載の電話システム。
【請求項３】
前記取得手段は、前記複数の音楽データを記録する音楽記録装置から任意の音楽データを取得することを特徴とする請求項１記載の電話システム。
【請求項４】
前記再生手段は、音響再生される音楽データの音量を調整可能とすることを特徴とする請求項１記載の電話システム。
【請求項５】
前記音楽データ送信手段は、前記第２の電話端末からの応答に応じて、前記通信コネクションとは異なる音楽コネクションを第２の電話端末との間で確立し、この音楽コネクションを介して前記音楽データを前記第２の電話端末へ送信することを特徴とする請求項１記載の電話システム。
【請求項６】
前記要求送信手段は、前記受信要求に前記音楽データを受信するための前記音楽提供サーバへの接続要求を含めて前記第２の電話端末へ送信し、
前記再生手段は、前記接続要求を受信した場合に、当該接続要求に従って前記音楽提供サーバとの間で前記通信コネクションとは異なる音楽コネクションの確立を行って前記音楽提供サーバから前記音楽データを受信して音響再生することを特徴とする請求項２記載の電話システム。
【請求項７】
前記音楽データ送信手段は、前記受信要求の送出に対する前記第２の電話端末からの応答に応じて、前記第２の電話端末が前記第１の電話端末と異なる種類の電話端末である場合に、前記音声パケットに前記音楽データを合成し、この合成データを前記通信コネクションを介して前記第２の電話端末へ送信することを特徴とする請求項１記載の電話システム。
【請求項８】
音声パケットを伝送する通信ネットワークに接続される複数の電話端末のうち第１の電話端末と第２の電話端末との間で通信コネクションを確立して通信を実行する電話システムで前記第１の電話端末として使用される電話端末装置において、
互いに異なる複数の音楽データの中から任意の音楽データを選択的に取得する取得手段と、
前記音楽データを取得した場合に、前記第２の電話端末に対し前記通信ネットワークを介して前記音楽データの受信要求を送信する要求送信手段と、
前記受信要求の送出に対し前記第２の電話端末から応答が返送された場合に、前記音楽データを前記第２の電話端末に対し前記通信ネットワークを介して送信する音楽データ送信手段とを具備したことを特徴とする電話端末装置。
【請求項９】
前記取得手段は、前記通信ネットワーク上の前記複数の音楽データを管理する音楽提供サーバとの通信により任意の音楽データを取得することを特徴とする請求項８記載の電話端末装置。
【請求項１０】
前記取得手段は、前記複数の音楽データを記録する音楽記録装置から任意の音楽データを取得することを特徴とする請求項８記載の電話端末装置。
【請求項１１】
前記音楽データ送信手段は、前記第２の電話端末からの応答に応じて、前記通信コネクションとは異なる音楽コネクションを第２の電話端末との間で確立し、この音楽コネクションを介して前記音楽データを前記第２の電話端末へ送信することを特徴とする請求項８記載の電話端末装置。
【請求項１２】
前記要求送信手段は、前記受信要求に前記音楽データを受信するための前記音楽提供サーバへの接続要求を含めて前記第２の電話端末へ送信することを特徴とする請求項９記載の電話端末装置。
【請求項１３】
前記音楽データ送信手段は、前記受信要求の送出に対する前記第２の電話端末からの応答に応じて、前記第２の電話端末が前記第１の電話端末と異なる種類の電話端末である場合に、前記音声パケットに前記音楽データを合成し、この合成データを前記通信コネクションを介して前記第２の電話端末へ送信することを特徴とする請求項８記載の電話端末装置。
【請求項１４】
前記音楽データ送信手段は、前記受信要求の送出に対する前記第２の電話端末からの応答に応じて、前記音楽データを前記第２の電話端末で音響再生可能なデータフォーマットに変換する変換手段を備えることを特徴とする請求項８記載の電話端末装置。
【請求項１５】
音声パケットを伝送する通信ネットワークに接続される複数の電話端末のうち第１の電話端末と第２の電話端末との間で通信コネクションを確立して通信を実行する電話システムで前記第２の電話端末として使用される電話端末装置において、
前記第１の電話端末から前記通信ネットワークを介して前記音楽データの受信要求が到来した場合に、前記第１の電話端末から送られる当該音声データを音響再生する再生手段を備えたことを特徴とする電話端末装置。
【請求項１６】
前記再生手段は、前記受信要求に前記音楽データを受信するための音楽提供サーバへの接続要求が含まれている場合に、当該接続要求に従って前記音楽提供サーバとの間で前記通信コネクションとは異なる音楽コネクションの確立を行って前記音楽提供サーバから前記音楽データを受信して音響再生することを特徴とする請求項１５記載の電話端末装置。
【請求項１７】
前記再生手段は、音響再生される音楽データの音量を任意に調整可能とすることを特徴とする請求項１５記載の電話端末装置。
【発明の詳細な説明】
【技術分野】
【０００１】
この発明は、例えばＩＰ（Internet Protocol）電話システムにおいて、音声データの伝送とともにＢＧＭ（Back Ground Music）データの伝送を実行する機能を備えた電話システム及びこの電話システムで使用される電話端末装置に関する。
【背景技術】
【０００２】
近年、パケット網を介して、双方向に画像や音声をパケットデータとして、リアルタイムに送受信するネットワーク電話システム（ＩＰ電話システム）が普及し始めている。このＩＰ電話システムでは、ＬＡＮ(Local Area Network)やインターネット等のＩＰ網に複数のＩＰ電話端末を収容するとともに、ＩＰ網をゲートウェイを介して公衆網に接続し、ゲートウェイにおいてアドレス変換等を行なうことによりＩＰ電話端末相互間及びＩＰ電話端末と公衆網との間でマルチメディア情報通信を可能としている。
【０００３】
ところで、このようなＩＰ電話システムにあっては、通話以外にさらなる付加サービスが強く望まれている。この付加サービスとしては、例えばＩＰ網上に設けられたサーバから、楽曲や映像等のデータをユーザのＩＰ電話端末へダウンロードする情報配信サービスがある。
【０００４】
ところで、上記情報配信サービスにおいて、ＩＰ電話端末は通話中に希望の楽曲をダウンロードできない。また、ＩＰ電話端末において、ユーザがＣＤ（Compact Disk）プレーヤ等の音源から再生される音楽データをマイクロホンに近付けて通話相手に聞かせる手法もあるが、この場合、通話相手に対し品質の悪い音楽を聞かせてしまうことになる。
【０００５】
なお、従来では、ＩＰ電話端末において、ラジオ放送番組等の可聴コンテンツの発生源を示す発生源情報を相手方から受信し、発生源情報に基づいて、発生源に対して音声信号とは別の受信手段によってアクセスして可聴コンテンツを通話音とは別個に出力する手法もある（例えば、特許文献１）。
【特許文献１】特開２００４−１９４０５７公報。
【発明の開示】
【発明が解決しようとする課題】
【０００６】
上記手法では、ＩＰ電話端末に音声信号の受信手段とは別の受信手段を設けなければならない分、複雑な構成となってしまい、ＩＰ電話端末の構成が大型となってしまうことになる。
【０００７】
そこで、この発明の目的は、通話を行なっている状態で、通話相手に対し通話にあった音楽を高品質で聴かせることができ、これによりユーザの娯楽性の向上を図り得る電話システム及び電話端末装置を提供することにある。
【課題を解決するための手段】
【０００８】
この発明は、上記目的を達成するために、以下のように構成される。  
音声パケットを伝送する通信ネットワークに接続される複数の電話端末のうち第１の電話端末と第２の電話端末との間で通信コネクションを確立して通信を実行する電話システムにおいて、第１の電話端末は、互いに異なる複数の音楽データの中から任意の音楽データを選択的に取得する取得手段と、音楽データを取得した場合に、第２の電話端末に対し通信ネットワークを介して音楽データの受信要求を送信する要求送信手段と、受信要求の送出に対し第２の電話端末から応答が返送された場合に、音楽データを第２の電話端末に対し通信ネットワークを介して送信する音楽データ送信手段とを備え、第２の電話端末は、第１の電話端末から通信ネットワークを介して音楽データの受信要求が到来した場合に、第１の電話端末から送られる当該音声データを音響再生する再生手段を備えるようにしたものである。
【０００９】
この構成によれば、第１の電話端末にて任意の音楽データが取得され、第２の電話端末からの応答に応じて第１の電話端末から第２の電話端末へ音楽データが通信ネットワークを介して伝送されることになり、第２の電話端末にて音楽データが音響再生される。従って、音楽ソースを有していない電話端末に必要に応じて音楽データを使用する機能を持たせることが可能となるとともに、第１及び第２の電話端末のユーザは通話中に高品質でムードのある音楽を楽しむことができる。
【００１０】
取得手段は、通信ネットワーク上の複数の音楽データを管理する音楽提供サーバとの通信により任意の音楽データを取得することを特徴とする。
【００１１】
この構成によれば、第１の電話端末にて第２の電話端末との間で通信コネクションを確立する際に、通信ネットワーク上の音楽提供サーバから任意の音楽データがダウンロードされるので、使用が想定される全ての音楽データをメモリに記憶しておく必要がなく、いつでもどこでも手軽に音楽データの取得を行うことができる。
【００１２】
取得手段は、複数の音楽データを記録する音楽記録装置から任意の音楽データを取得することを特徴とする。
【００１３】
この構成によれば、第１の電話端末のユーザが所有する音楽記録装置から任意の音楽データを第１の電話端末に入力し、第１の電話端末から第２の電話端末へ通信ネットワークを介して伝送することができる。このため、第１の電話端末のユーザが好みの音楽を選択して通話中の第２の電話端末のユーザに聴かせることができる。
【００１４】
音楽データ送信手段は、第２の電話端末からの応答に応じて、通信コネクションとは異なる音楽コネクションを第２の電話端末との間で確立し、この音楽コネクションを介して音楽データを第２の電話端末へ送信することを特徴とする。
【００１５】
この構成によれば、音声パケットの伝送と音楽データの伝送とをそれぞれ独立して並列的に制御することができ、これにより音声パケット及び音楽データの伝送を相互に影響を及ぼすことなく確実に行うことができる。また、音楽データは、音声パケット伝送用の通信コネクションとは別に専用の音楽コネクションで伝送されるので、電話プロトコルの制約を受けることがない。従って、音楽コネクションは広帯域な周波数帯域を確保することができるので、広帯域な周波数帯域により電話よりも高品位な音質で音楽を楽しみながら通話が可能となる。
【００１６】
音楽データ送信手段は、受信要求の送出に対する第２の電話端末からの応答に応じて、第２の電話端末が第１の電話端末と異なる種類の電話端末である場合に、音声パケットに音楽データを合成し、この合成データを通信コネクションを介して第２の電話端末へ送信することを特徴とする。
【００１７】
この構成によれば、第２の電話端末が第１の電話端末と種類が異なり、音楽コネクションを確立できないものであっても、第１の電話端末により音声パケットと音楽データとを合成し、通信コネクションを使用して音声パケット及び音楽データが第２の電話端末に伝送されるので、如何なるタイプの第２の電話端末であっても通話中に通話にあった音楽を楽しむことができる。
【００１８】
音楽データ送信手段は、受信要求の送出に対する第２の電話端末からの応答に応じて、音楽データを第２の電話端末で音響再生可能なデータフォーマットに変換する変換手段を備えることを特徴とする。
【００１９】
この構成によれば、変換可能な範囲で任意のデータフォーマットを使用可能となる。従って、如何なるタイプの電話端末を使用しても、通話中に通話にあった音楽を楽しむことができる。
【発明の効果】
【００２０】
以上詳述したようにこの発明によれば、通話を行なっている状態で、通話相手に対し任意の音楽を高品質で聴かせることができ、これによりユーザの娯楽性の向上を図り得る電話システム及び電話端末装置を提供することができる。
【発明を実施するための最良の形態】
【００２１】
以下、この発明のＩＰ電話システムがＮＴＴフレッツ網を接続している場合の実施形態について図面を参照して詳細に説明する。  
（第１の実施形態）  
図１は、この発明の第１の実施形態におけるＩＰ電話システムの概略構成図であり、ＣＭＡ，ＣＭＢはユーザシステム、ＢＴはＳＩＰサーバ、ＳＶはＢＧＭサーバをそれぞれ示している。
【００２２】
ユーザシステムＣＭＡは、ＩＰ電話機ＴＡと、パーソナル・コンピュータＰＣと、ルータＲＴＡとを備えている。
【００２３】
ＩＰ電話機ＴＡ及びパーソナル・コンピュータＰＣは、ルータＲＴＡ及び局舎ＩＳＰＡを介してＩＰネットワークＩＰＮに接続され、このＩＰネットワークＩＰＮからさらに局舎ＩＳＰＢ、ＳＩＰサーバＢＴ及びＢＧＭサーバＳＶに接続される。
【００２４】
ユーザシステムＣＭＢは、ＩＰ電話機ＴＢと、ルータＲＴＢとを備えている。ＩＰ電話機ＴＢは、ルータＲＴＢ及び局舎ＩＳＰＢを介してＩＰネットワークＩＰＮに接続され、このＩＰネットワークＩＰＮからさらに局舎ＩＳＰＡ、ＳＩＰサーバＢＴ及びＢＧＭサーバＳＶに接続される。
【００２５】
ＳＩＰサーバＢＴは、発着信に応じてＩＰ電話機ＴＡとＩＰ電話機ＴＢとの間を交換接続する機能を有する。
【００２６】
ＢＧＭサーバＳＶは、ユーザシステムＣＭＡ，ＣＭＢからの要求に応じて、ＢＧＭデータを配信するものである。
【００２７】
図２は、上記ＩＰ電話機ＴＡ，ＴＢの外観図である。ここでは、ＩＰ電話機ＴＡを代表して説明する。
【００２８】
ＩＰ電話機ＴＡの前面パネル部には、ＬＣＤ等を使用した表示部１１が配置され、さらにこの表示部１１の下方パネル部には、ダイヤルキー１２、ＢＧＭ開始・停止・中断などを制御する制御キー１３が配設されている。この制御キー１３には、ＢＧＭ挿入用ボタン１３１及びミキシングボタン１３２が備えられる。
【００２９】
ＢＧＭボタン１３１は、押下に応じてＢＧＭ接続操作を行うためのものである。ＢＧＭ接続状態はボタンの点灯色によって表示される。ミキシングボタン１３２は、押下に応じて音声にＢＧＭをミキシングさせるためのものである。
【００３０】
また、ＩＰ電話機ＴＡの前面パネル部の図中左側には、スピーカ、マイクロホンを備えたハンドセット１４が配設されている。さらに、ＩＰ電話機ＴＡには、ルータＲＴＡに接続するためのコネクタ１５が設けられる。
【００３１】
一方、ＩＰ電話機ＴＡの回路構成は次のようになっている。図３はその構成を示すブロック図である。
【００３２】
同図に示すようにＩＰ電話機ＴＡは、基本機能として、ネットワーク制御部２０１と、コーディックＤＳＰ（Digital Signal Processor）２０２と、ＭＰＵ２０３と、ＲＯＭ２０４と、ＲＡＭ２０５と、音声入力レベル変換部２０６と、音声入力Ａ／Ｄ変換部２０７と、音声出力Ｄ／Ａ変換部２０８と、ＢＧＭミキシング制御部２０９と、増幅部２１０と、キー入力制御部２１１とを備えている。
【００３３】
ネットワーク制御部２０１は、ルータＲＴＡを介して接続されるＩＰネットワークＩＰＮに関するインタフェース処理を行う。つまり、ネットワーク制御部２０１は、ＩＰネットワークＩＰＮから送られてきた伝送パケットから音声データや制御データを抽出し、音声データをコーディックＤＳＰ２０２へ、また制御データをＭＰＵ２０３へと与える。
【００３４】
また、ネットワーク制御部２０１は、ＢＧＭＩＰ電話端末−ＢＧＭＩＰ電話端末同士の接続の場合には、コーディックＤＳＰ２０２から与えられる音声データをＩＰネットワークＩＰＮ上の音声コネクションに送信し、ＢＧＭデータをＢＧＭコネクションに送信する。なお、ＢＧＭＩＰ電話端末−非ＢＧＭＩＰ電話端末の接続の場合には、コーディックＤＳＰ２０２から与えられる音声データ及びＢＧＭデータを合成してＩＰネットワークＩＰＮ上の音声コネクションに送信する。
【００３５】
コーディックＤＳＰ２０２は、ネットワーク制御部２０１から与えられる音声データを音声出力Ｄ／Ａ変換部２０８へと与える。すると、音声データは、音声出力Ｄ／Ａ変換部２０８でアナログ音声信号に変換され、ＢＧＭミキシング制御部２０９を介して増幅部２１０で所定レベル増幅され、上記ハンドセット１４のスピーカ１４１から拡声出力される。
【００３６】
一方、上記ハンドセット１４のマイクロホン１４２により入力された送話音声信号は、音声入力レベル変換部２０６を介して音声入力Ａ／Ｄ変換部２０７で音声データに変換され、コーディックＤＳＰ２０２へと与えられる。コーディックＤＳＰ２０２は、音声入力Ａ／Ｄ変換部２０７から与えられる音声データをＩＰ制御部２０１へと与える。
【００３７】
また、コーディックＤＳＰ２０２は、ＩＰ制御部２０１から与えられるＢＧＭデータを、ＢＧＭ出力Ｄ／Ａ変換部２１２へと与える。すると、音楽データは、ＢＧＭ出力Ｄ／Ａ変換部２１２でアナログ音声信号に変換され、ＢＧＭミキシング制御部２０９を介して増幅部２１０で所定レベル増幅され、上記ハンドセット１４のスピーカ１４１から拡声出力される。
【００３８】
ＭＰＵ２０３は、ＲＯＭ２０４及びＲＡＭ２０５に記憶される制御プログラムまたは各種データに従ってソフトウェア処理によりＩＰ電話機ＴＡの各部の制御やＩＰネットワークＩＰＮとの間での通信処理を行なう。また、ＭＰＵ２０３は、制御キー１３によりユーザからの音量値設定が受け付けられた場合に、音声入力レベル変換部２０６及び増幅部２１０に対し音量ボリューム値を設定ボリューム値に調整させるように音声入力選択制御部２１５及び外部出力選択制御部２１６を制御する。そして、その結果を表示部１１に表示させる。なお、ＬＥＤ等の点灯或いは点滅を使用してもよい。
【００３９】
また、ＩＰ電話機ＴＡには、図４に示すように、ヘッドセット１６が接続可能である。すなわち、ヘッドセット１６からの送話音声信号は、音声入力レベル変換部２１３を介して音声入力Ａ／Ｄ変換部２０７で音声データに変換され、コーディックＤＳＰ２０２へと与えられる。また、ヘッドセット１６への音声データは、コーディックＤＳＰ２０２から音声出力Ｄ／Ａ変換部２０８へと与えられてアナログ音声信号に変換され、ＢＧＭミキシング制御部２０９を介して増幅部２１４で所定レベル増幅され、上記ヘッドセット１６のスピーカから拡声出力される。
【００４０】
なお、ハンドセット１４を使用するかヘッドセット１６を使用するかについては、キー入力制御部２１１により受け付けられるユーザの入力指示に従って、音声入力選択制御部２１５及び外部出力選択制御部２１６により選択制御される。
【００４１】
さらに、スピーカやステレオデッキ等の外部機器１７が接続される場合には、ＢＧＭデータは、ＢＧＭ出力Ｄ／Ａ変換部２１２から増幅部２１７へと与えられて、所定レベル増幅された後、外部機器１７へ出力される。
【００４２】
また、上記ＩＰ電話機ＴＡには、ＣＤプレーヤ等の個人コンテンツサーバ１８が接続可能となっている。すなわち、個人コンテンツサーバ１８から再生出力されたＢＧＭデータは、外部ＢＧＭアナログ入力レベル変換部２１８を介してＤ／Ａ変換部２１９へと与えられてアナログＢＧＭ信号に変換され、ＢＧＭミキシング制御部２０９またはＩＰ制御部２０１に供給される。
【００４３】
さらに、上記ＩＰ電話機ＴＡには、外部ＢＧＭデジタル入力フォーマット変換部２２０が設けられている。外部ＢＧＭデジタル入力フォーマット変換部２２０は、ＩＰ電話機ＴＢへのＢＧＭデータ送信に際し、送信するＢＧＭデータがＩＰ電話機ＴＢで取り扱い可能なデータフォーマットではない場合に、このデータフォーマットへのフォーマット変換を行う。
【００４４】
次に、以上のシステムにおける処理動作について説明する。  
図５は、ＩＰ電話機ＴＡと、ＳＩＰサーバＢＴと、ＢＧＭサーバＳＶと、ＩＰ電話機ＴＢとの間における情報の送受信動作を示す概略シーケンス図である。ＩＰ電話機ＴＡとＩＰ電話機ＴＢとＢＧＭサーバＳＶ間のコネクションの確立にはＳＩＰ（Session Initiation Protocol）プロトコルとＳＩＰ関連プロトコルを使用した場合について示す。
【００４５】
ユーザは、パーソナル・コンピュータＰＣを使用してＩＰネットワークＩＰＮ経由でＢＧＭサーバＳＶに接続する。接続後、ＢＧＭとして使用する曲名を選択する。選択方法は、通話内容、アーティスト別などの情報をｗｅｂ画面から入力し選択する。選択終了後、次の事項をＢＧＭサーバＳＶに登録する。なお、登録情報としては、１：発信(自分の)ＩＰ電話番号  ２：受信(相手)先ＩＰ電話番号  ３：曲名(複数指定可能)４：挿入スケジュールである（図５（１））。
【００４６】
ＩＰ電話機ＴＡにおいてユーザが、ＩＰ電話機ＴＢのユーザと通話を行なうべくダイヤル操作を行なったとする。そうするとＩＰ電話機ＴＡからその通信確立要求信号がＳＩＰサーバＢＴに送られる。この通信確立要求信号を受け取るとＳＩＰサーバＢＴは、着信先のＩＰ電話機ＴＢを呼び出す。そして、これに対しＩＰ電話機ＴＢが応答すると、ＩＰ電話機ＴＡとＩＰ電話機ＴＢとの間に音声コネクションを形成する（図５（２））。
【００４７】
かくして、ＩＰ電話機ＴＡのユーザはＩＰ電話機ＴＢのユーザとの間で通話を行なうことが可能となる。
【００４８】
ここで、ＩＰ電話機ＴＡのユーザはＢＧＭ挿入ボタン１３１を任意の時間に押すことができ、ＢＧＭ挿入機能を使用する場合にはＢＧＭ挿入ボタン１３１を押す。ＢＧＭ挿入希望側である発信側のＩＰ電話機ＴＡのＢＧＭ挿入ボタン１３１は接続準備を示す燈点灯する。
【００４９】
（ＢＧＭサーバコネクション）  
音声コネクションの確立を確認したＢＧＭ挿入希望側である発信側ＩＰ電話機ＴＡは、次にＢＧＭサーバＳＶに対して接続要求を行う（図５（３））。この際、発信側のＩＰ電話機ＴＡのＢＧＭ挿入ボタン１３１は、接続中を示す榿点滅になる。
【００５０】
（ＢＧＭサーバＳＶの認証）  
ＢＧＭサーバＳＶは、接続要求したＩＰ電話機ＴＡがユーザエージェントが正当なユーザであるかを判定する。判定には登録されているＩＰ電話番号と接続を求めているＩＰ電話機ＴＡとのＩＰ電話番号などの情報比較により判定を行なう。
【００５１】
（発信側ＢＧＭＩＰ電話−ＢＧＭサーバコネクションの確立）  
ＢＧＭサーバＳＶは発信者であるＩＰ電話機ＴＡが正当なユーザであると判定されると、ＢＧＭサーバＳＶとＩＰ電話機ＴＡ間に音楽用広帯域コネクションが確立する。判定エラーとなった場合には、ＢＧＭ挿入ボタン１３１は赤色点灯となり、ＢＧＭサーバＳＶへの接続が失敗したことを示す。
【００５２】
（受信側ＢＧＭＩＰ電話へのＢＧＭサーバコネクション指示）
ＢＧＭサーバＳＶ間とのコネクションの確立を確認した発信側のＩＰ電話機ＴＡは、相手側のＩＰ電話機ＴＢに対してＢＧＭサーバＳＶに接続するように要求する（図５（４））。この接続要求は、ＳＩＰのＲＥＦＥＲメッセージにより送信される。このとき、発信側のＩＰ電話機ＴＡのＢＧＭ挿入ボタン１３１は緑色点滅する。受信側のＩＰ電話機ＴＢのＢＧＭ挿入ボタン１３１はＢＧＭ配信サーバ接続中を示す燈点滅になる。
【００５３】
（受信側のＩＰ電話機ＴＢ−ＢＧＭサーバＳＶ接続）  
上記接続要求を受信したＩＰ電話機ＴＢは、ＢＧＭサーバＳＶに対して接続要求を行なう（図５（５））。すると、ＩＰ電話機ＴＢのＢＧＭ挿入ボタン１３１は緑色点滅する。
【００５４】
（ＢＧＭ配信サーバの判定）  
ＩＰ電話機ＴＢから接続要求を求められたＢＧＭサーバＳＶは、接続を要求しているＩＰ電話機ＴＢが正当なＩＰ電話機であるかを確認するために、登録されているＢＧＭ登録リスト情報を検索する。検索の結果、接続要求者（受信側ＢＧＭＩＰ電話）が意図する正当なＩＰ電話機であると判定されると、ＩＰ電話機ＴＢとＢＧＭサーバ間に音楽用広帯域コネクションが確立する。すると、ＩＰ電話機ＴＢのＢＧＭ挿入ボタン１３１は緑色点灯する。
【００５５】
（受信側ＢＧＭコネクションの確立）  
ＩＰ電話機ＴＢとＢＧＭサーバＳＶ間に音楽用広帯域コネクションが確立すると、ＢＧＭサーバＳＶは発信側のＩＰ電話機ＴＡと受信側のＩＰ電話機ＴＢに対して音楽配信を開始する。
【００５６】
（受信側ＢＧＭコネクションの確立通知）  
受信側のＩＰ電話機ＴＢとＢＧＭサーバＳＶ間に音楽用広帯域コネクションが確立されると、受信側のＩＰ電話機ＴＢから発信側のＩＰ電話機ＴＡに対して、コネクション結果が通知される。つまり、正常に接続された場合には発信側のＩＰ電話機ＴＡのＢＧＭ挿入ボタン１３１は緑色点灯となり、ＢＧＭ接続完了を音声・または合図音を発信者側のスピーカ１４１に流す。失敗した場合には赤色点灯となり、音声・または合図音を発信者側のスピーカ１４１に流す。
【００５７】
（ＢＧＭ配信コネクションの確立）  
上記の手順が正常に終了するとＢＧＭ配信コネクションが確立する。通話コネクションとして「ＩＰ電話機ＴＡ−ＩＰ電話機ＴＢ」、ＢＧＭコネクションとして「発信ＢＧＭ−ＢＧＭサーバ、受信ＢＧＭＩＰ電話−ＢＧＭサーバ」が、それぞれ確立する。
【００５８】
（ＢＧＭ音量調整）  
ＢＧＭの音量は予めＢＧＭサーバＳＶ側で音量調整をして配信されているが、発信または受信側のＩＰ電話機ＴＡ，ＴＢの音量調整機能により任意に音量に調整することができる。上記では、ＢＧＭを通話時開始時から挿入する場合を示した。通話中に発信者または受信者がＩＰ電話機ＴＡ，ＴＢまたはパーソナル・コンピュータＰＣを操作してＢＧＭサーバＳＶに接続して選曲を行いＢＧＭを挿入することも可能である。選曲後、ＩＰ電話機ＴＡ，ＴＢのＢＧＭ挿入ボタン１３１を押すことより、ＢＧＭ要求側のＩＰ電話機ＴＡと相手側のＩＰ電話機ＴＢはＢＧＭサーバＳＶとのコネクション確立動作を開始する。
【００５９】
次に、ルータＲＴＡ，ＲＴＢについて説明する。図６はルータＲＴＡ，ＲＴＢの構造図を示す。ＩＰｖ４およびＩＰｖ６においてＱｏｓ（Quality of Service）が十分に機能しているルータは高価である。このため、ＩＰ電話機ＴＡ，ＴＢ用に帯域を確保するため、ルータＲＴＡ、ＲＴＢにＩＰ電話機ＴＡ，ＴＢを接続する固定のポートを設ける。ＩＰ電話機ＴＡ，ＴＢはこの特定ポートに接続することにより帯域を確保する。
【００６０】
以上のように上記第１の実施形態では、ＩＰ電話機ＴＡにてＩＰ電話機ＴＢとの間で音声コネクションを確立する際に、ＩＰネットワークＩＰＮ上のＢＧＭサーバＳＶから任意のＢＧＭデータをダウンロードし、ＩＰ電話機ＴＢからの応答に応じてＩＰ電話機ＴＡとＩＰ電話機ＴＢとの間にＢＧＭサーバＳＶ経由のＢＧＭコネクションを確立し、ＩＰ電話機ＴＢにてＩＰ電話機ＴＡのユーザが希望するＢＧＭデータを音響再生するようにしている。
【００６１】
従って、音楽ソースを有していないＩＰ電話機ＴＡ，ＴＢに必要に応じてＢＧＭデータを使用する機能を持たせることが可能となるとともに、ＩＰ電話機ＴＡ，ＴＢのユーザは通話中に高品質でムードのあるＢＧＭを楽しむことができる。さらに、ＩＰネットワークＩＰＮ上のＢＧＭサーバＳＶから任意のＢＧＭデータがダウンロードされるので、使用が想定される全てのＢＧＭデータをＩＰ電話機ＴＡのＲＡＭ２０５に記憶しておく必要がなく、いつでもどこでも手軽にＢＧＭデータの取得を行うことができる。
【００６２】
また、上記第１の実施形態では、ＩＰ電話機ＴＡ，ＴＢにおいて、音声ボリューム調整機能により、不要なＢＧＭはミュートすることが可能である。これにより受信者が真に必要なＢＧＭデータのみを音響再生することができる。
【００６３】
また、上記第１の実施形態では、ＩＰ電話機ＴＡとＩＰ電話機ＴＢとの間に、通話コネクションとＢＧＭコネクションとを確立するようにしているので、音声パケットの伝送とＢＧＭデータの伝送とをそれぞれ独立して並列的に制御することができ、これにより音声パケット及びＢＧＭデータの伝送を相互に影響を及ぼすことなく確実に行うことができる。また、ＢＧＭデータは、音声パケット伝送用の通信コネクションとは別に専用のＢＧＭコネクションで伝送されるので、電話プロトコル(８ｋＨｚサンプリング・音声帯域３００Ｈｚ〜３．７ｋＨｚ)の制約を受けることがない。従って、ＢＧＭコネクションは広帯域な周波数帯域を確保することができるので、広帯域な周波数帯域により電話よりも高品位な音質で音楽を楽しみながら通話が可能となる。
【００６４】
また、上記ＩＰ電話機ＴＡに、外部ＢＧＭデジタル入力フォーマット変換部２２０を設け、ＩＰ電話機ＴＢへのＢＧＭデータのデータフォーマットをＩＰ電話機ＴＢで取り扱い可能なデータフォーマットに変換するようにしたことによって、データフォーマットがＩＰ電話機ごとに異なる場合でも、ＢＧＭデータのデータフォーマットを統一することができる。
【００６５】
（第２の実施形態）  
図７は、この発明の第２の実施形態におけるＩＰ電話システムの概略構成図であり、ＣＭＣはユーザシステムを示している。なお、図７において、上記図１と同一部分には同一符号を付して詳細な説明を省略する。
【００６６】
ユーザシステムＣＭＣは、ＩＰ電話機ＴＣと、個人コンテンツサーバ１８と、ルータＲＴＣとを備えている。個人コンテンツサーバ１８には、複数のＢＧＭデータが記憶されており、ユーザによる入力指示操作に応じて任意のＢＧＭデータを再生してＩＰ電話機ＴＣに入力する。
【００６７】
次に、以上のシステムにおける処理動作について説明する。  
図８は、ＩＰ電話機ＴＣと、ＳＩＰサーバＢＴと、ＩＰ電話機ＴＢとの間における情報の送受信動作を示す概略シーケンス図である。ＩＰ電話機ＴＣとＩＰ電話機ＴＢとのコネクションの確立にはＳＩＰ（Session Initiation Protocol）プロトコルとＳＩＰ関連プロトコルを使用した場合について示す。
【００６８】
サーバレス型ＢＧＭＩＰ電話システムでは、ＩＰ電話機ＴＣ、ルータＲＴＣ、個人所有コンテンツサーバ１８によりシステムが構成される。挿入するＢＧＭは、個人コンテンツサーバ１８から発信者のＩＰ電話機ＴＣを介して受信者に配信される。
【００６９】
すなわち、発信者は個人コンテンツサーバ１８とＩＰ電話機ＴＣを接続する。そして、個人コンテンツサーバ１８から聴きたい音楽を選択する。ＢＧＭ選定後、通常のＩＰ電話操作方法を用いてＩＰ電話機ＴＣを使用、音声コネクション確立が行われる。
【００７０】
発信側のＩＰ電話機ＴＣは、受信側のＩＰ電話機ＴＢと音声コネクションの確立を確認すると、ＢＧＭ・ＢＧＭコネクションを張るための動作を開始する。
【００７１】
（個人コンテンツサーバとの接続）
ＢＧＭとして使用する曲目を個人コンテンツサーバ１８から選択し、個人コンテンツサーバ１８の出力端子とＩＰ電話機ＴＣを接続する。
【００７２】
（音声コネクションの確立）  
ＩＰ電話機ＴＣのユーザは、ＩＰ電話機ＴＣを用いて相手のＩＰ電話機ＴＢへの発信操作を行なったとする。そうすると、ＳＩＰサーバＢＴは通常のＩＰ電話の動作と同じようにＩＰ電話機ＴＣ，ＴＢ間に音声コネクションを確立する（図８（１））。
【００７３】
（ＢＧＭコネクションの確立）
発信側のＩＰ電話機ＴＣと受信側のＩＰ電話機ＴＢとの間の音声コネクションが確立されたことが確認されると、発信側のＩＰ電話機ＴＣは、ＢＧＭコネクションの確立を行なう。ＩＰ電話機ＴＣは、ＢＧＭコネクション情報を取得するために受信側のＩＰ電話機ＴＢに対して「Ｏｆｆｅｒｅｒ」を送信する（図８（２））。発信側のＢＧＭ挿入ボタン１３１は、接続中を示す燈点滅する。
【００７４】
（ＢＧＭコネクションの判定）  
発信側のＩＰ電話機ＴＣは、受信側のＩＰ電話機ＴＢからの回答（Ａｎｓｗｅｒｅｒ）情報を解析して、受信ＢＧＭＩＰ電話がサポートしているコネクション情報に適合するＢＧＭコネクションがあるかを判定する。
【００７５】
（ＢＧＭコネクションの確立）  
適合するＢＧＭコネクションがある場合には、ＩＰ電話機ＴＣのボタンがＢＧＭ挿入ボタン１３１が緑色点灯に変わり、ＢＧＭ挿入が可能であることを示す。またＢＧＭ接続完了を音声・または合図音を発信者側のスピーカ１４１に流す。また受信側のＢＧＭＩＰ電話ボタンが橙色点滅から緑色点灯に変わる。
【００７６】
（ＢＧＭの挿入）  
発信者はＢＧＭ用コネクションが確立を確認すると所有しているＢＧＭコンテンツサーバ１８からＩＰ電話機ＴＣに対してＢＧＭを入力する（再生）。
【００７７】
（ＢＧＭフォーマット変換）  
オーディオ入力がアナログの場合には発信側ＢＧＭＩＰ電話にてＡ／Ｄ変換、エンコードが実施される。エンコードされたデータは発信側においてもデコードされ、ハンドセット１４のスピーカ１４１で視聴することができる。ＢＧＭの音量は、ＢＧＭ音量制御機能により、任意の音量に設定することができる。
【００７８】
（ＢＧＭデータの送信）  
エンコードされたＢＧＭデータは、ＢＧＭコネクションにより受信側のＩＰ電話機ＴＢに転送される。
【００７９】
（受信側ＢＧＭ音量調整）  
受信側のＩＰ電話機ＴＢのＢＧＭ音量調整機能により、ＢＧＭの音量は任意に設定することができる。上記の例では、発信者が持つ個人ＢＧＭコンテンツを送信する場合について説明した。受信者側が持つ個人コンテンツをＩＰ電話機ＴＢの外部入力に接続することにより、受信者側からＢＧＭを挿入することも可能である。受信者側からＢＧＭも入力する場合は、受信者側でＢＧＭ挿入ボタン１３１を使用した操作を行うことによりＢＧＭを挿入することができる。
【００８０】
以上のように上記第２の実施形態では、ＩＰ電話機ＴＣのユーザが所有する個人コンテンツサーバ１８から任意のＢＧＭデータをＩＰ電話機ＴＣに入力し、ＩＰ電話機ＴＣから通話相手のＩＰ電話機ＴＢへＩＰネットワークＩＰＮ上のＢＧＭコネクションを介して伝送するようにしている。このため、ＩＰ電話機ＴＣのユーザが好みのＢＧＭを個人コンテンツサーバ１８から選択して通話中のＩＰ電話機ＴＢのユーザに聴かせることができる。
【００８１】
（第３の実施形態）  
図９は、この発明の第３の実施形態におけるＩＰ電話システムの概略構成図であり、ＣＭＤはユーザシステムを示している。なお、図９において、上記図１と同一部分には同一符号を付して詳細な説明を省略する。
【００８２】
ユーザシステムＣＭＤは、ＢＧＭ機能を搭載していない電話機ＴＤと、ルータＲＴＤとを備えている。
【００８３】
次に、以上のシステムにおける処理動作について説明する。  
ＩＰ電話機ＴＡからＩＰ電話機ＴＤに対しＢＧＭ挿入要求を送信すると、受信側のＩＰ電話機ＴＤから発信側のＩＰ電話機ＴＡに対して電話機ＴＤとＢＧＭサーバＳＶ間のコネクションの確立結果が通知される（受信側の電話機ＴＤから応答がない場合がある）。
【００８４】
一定時間応答がないか、ＢＧＭサーバコネクション要請に対して失敗通知された場合には、ＢＧＭ挿入要求を行ったＩＰ電話機ＴＡのＢＧＭ挿入ボタン１３１が赤色点灯となる。また音声にて受信側がＢＧＭ対応のＩＰ電話機でないことが告げられる。すると、発信者は、ＢＭＧ挿入ボタン１３１を再度押して、電話機に状態を確認したことをＢＧＭＩＰ電話に通知する。
【００８５】
（ＢＧＭ挿入操作）  
発信者は電話音質でのＢＧＭ挿入を希望する場合には、ＩＰ電話機ＴＡのミキシングボタン１３２を押す。
【００８６】
（ＢＧＭと受信音声アナログミキシング処理）
図１０は、ＩＰ電話機ＴＡのミキシング処理の流れを示す図である。ＩＰ電話機ＴＡにおいて、ミキシングボタン１３２が押されると、ＢＧＭサーバＳＶから取得したＢＧＭを復調、Ｄ／Ａ変換する。アナログ変換されたＢＧＭデータは、ＢＧＭと受信音声アナログミキシングレベル調整器に入力される。ミキシングレベル調整器によりハンドセット１４のスピーカ１４１から出力されるレベルが自動調整される。またミキシングレベル調整器を手動で変更することにより任意のレベルにＢＧＭを設定することができる。
【００８７】
（ＢＧＭとマイク音声のアナログミキシング処理）  
ＢＧＭサーバＳＶから受信したＢＧＭデータのＤ／Ａ変換後、マイク入力音声・ＢＧＭミキシングレベル調整器に入力される。マイク入力音声・ＢＧＭミキシングレベル調整器では、マイク入力音量レベルを基準にＤ／Ａ変換後のＢＧＭデータをＢＧＭレベルに調整する。
【００８８】
（ＢＧＭとマイク入力音声のアナログミキシング処理）  
マイク入力音声・ＢＧＭミキシングレベル調整器でレベル調整が完了したアナログＢＧＭ信号は、「音声＋ＢＧＭミキシング器」に入力される。マイク入力音声とＢＧＭは、「音声＋ＢＧＭミキシング器」でミキシングされる。
【００８９】
（電話データへの変換）  
音声とＢＧＭがミキシングされた後、ミキシングデータは、電話音質フィルター変換器により通常のＩＰ電話の音声変換手順に従い電話音質に変換される。
【００９０】
（ミキシングデータの送出）  
変換されたマイク入力音声とＢＧＭミキシングデータはＬＡＮパケットフレーム化される。フレーム化が完了すると家庭内ルータに向かって送信される。ここではアナログミキシングの場合を示したが、デジタルミキシングすることも可能である。
【００９１】
以上のように上記第３の実施形態では、通話相手がＢＧＭＩＰ電話に対応していない電話機ＴＤであり、ＢＧＭコネクションを確立できないものであっても、ＩＰ電話機ＴＡにより音声パケットとＢＧＭデータとを合成し、音声コネクションを使用して音声パケット及びＢＧＭデータを電話機ＴＤに伝送するようにしている。
【００９２】
従って、如何なるタイプの電話機であっても電話品質ではあるが通話中に通話にあった音楽を楽しむことができる。
【００９３】
（第４の実施形態）  
図１１は、この第４の実施形態におけるＩＰ電話システムの概略構成図である。なお、図１１において、上記図９と同一部分には同一符号を付して詳細な説明を省略する。
【００９４】
（ＢＧＭコネクション確立の失敗）
ＩＰ電話機ＴＣから電話機ＴＤに対しＢＧＭ挿入要求を送信したとする。そして、ＢＧＭ挿入ボタン１３１が榿点滅から緑色点灯変化せず、ＢＧＭ挿入ボタン１３１が赤色点灯した場合には、ＢＧＭ挿入が不可能である非ＢＧＭＩＰ電話であることを示す。また音声にて相手側がＢＧＭＩＰ電話でないことが発信側のＩＰ電話機ＴＣから告げられる。発信者は、ＢＭＧ挿入ボタン１３１を再度押して、電話機ＴＤに状態を確認したことを通知する。
【００９５】
（サーバレス型ＢＧＭＩＰ電話でのミキシング）  
発信者は電話音質でのＢＧＭ挿入を希望する場合には、ＩＰ電話機ＴＣのミキシングボタン１３２を押す。
【００９６】
（サーバレス型ＢＧＭＩＰ電話でのミキシング処理開始）  
図１２は、ＩＰ電話機ＴＣのミキシング処理の流れを示す図である。ＩＰ電話機ＴＣのミキシングボタン１３２を押し、個人コンテンツサーバ１８の再生を開始する。
【００９７】
（入力コンテンツの判定）  
個人コンテンツサーバ１８からのＢＧＭデータ形式（デジタル・アナログ）により、ＩＰ電話機ＴＣはその入力形式を判定する。
【００９８】
［コンテンツ入力がデジタルの場合］
（復調と増幅）  
個人コンテンツサーバ１８から取得したＢＧＭを復調、Ｄ／Ａ変換する。アナログ変換されたデータは増幅部２１０の受話器スピーカアンプで増幅される。
【００９９】
（受話器音へのミキシング）  
Ｄ／Ａ変換後のＢＧＭデータは、ミキシングレベル調整器に入力される。ミキシングレベル調整器では、受信音声レベルを基準にＤ／Ａ変換後のＢＧＭデータを自動的に設定されたＢＧＭレベルに増幅する。また手動操作によりＢＧＭミキシングレベルを任意に調整することも可能である。出力制御器により出力先を選択する。
【０１００】
（マイク入力音声とＢＧＭミキシング）  
Ｄ／Ａ変換後のＢＧＭデータは、ミキシングレベル調整器で自動的にＢＧＭミキシングレベル調整が行なわれる。ミキシングレベル調整完了したアナログＢＧＭ信号は、音声＋ＢＧＭミキシング器に入力される。マイク入力音声とＢＧＭは「マイク入力音声＋ＢＧＭミキシング器」で適正なミキシングが行なわれる。
【０１０１】
（送信データフォーマット変換）  
マイク入力音声とＢＧＭがミキシングされた後、ミキシングデータは、通常のＩＰ電話の音声変換手順に従い電話音質に変換される。
【０１０２】
（音声とＢＧＭ音楽ミキシングデータの送出）
変換されたミキシングデータはＬＡＮパケットフレーム化される。フレーム化が完了すると家庭内のルータＲＴＣに向かって送信される。
【０１０３】
［コンテンツ入力がアナログの場合］
（入力レベル変換）  
入力されたアナログデータは、レベル変換器でレベル変換される。変換されたデータは送信ミキシングレベル調整器に入力される。
【０１０４】
（受話器音へのミキシング）  
Ｄ／Ａ変換後のＢＧＭデータは、ミキシングレベル調整器に入力される。ミキシングレベル調整器では、受信音声レベルを基準にＤ／Ａ変換後のＢＧＭデータを自動的に設定されたＢＧＭレベルに増幅する。また手動操作によりＢＧＭミキシングレベルを任意に調整することも可能である。出力制御器により出力先を選択する。
【０１０５】
（マイク入力音声とＢＧＭミキシング）  
Ｄ／Ａ変換後のＢＧＭデータは、ミキシングレベル調整器で自動的にＢＧＭミキシングレベル調整が行なわれる。ミキシングレベル調整完了したアナログＢＧＭ信号は、音声＋ＢＧＭミキシング器に入力される。マイク入力音声とＢＧＭは「マイク入力音声＋ＢＧＭミキシング器」で適正なミキシングが行なわれる。
【０１０６】
（送信データフォーマット変換）  
音声とＢＧＭがミキシングされた後、ミキシングデータは、通常のＩＰ電話の音声変換手順に従い電話音質に変換される。
【０１０７】
（音声とＢＧＭ音楽ミキシングデータの送出）  
変換されたミキシングデータはＬＡＮパケットフレーム化される。フレーム化が完了するとルータＲＴＣに向かって送信される。ここではマイク入力音声とＢＧＭ及び受信音声とＢＧＭのミキシングについて、アナログミキシングの場合を示したがデジタルミキシングすることも可能である。
【０１０８】
以上のように上記第４の実施形態であっても、上記第３の実施形態と同様の作用効果が得られ、電話音質ではあるがＩＰ電話機ＴＣのユーザが好みのＢＧＭを個人コンテンツサーバ１８から選択して通話相手の電話機ＴＤのユーザに聴かせることができる。
【０１０９】
（第５の実施形態）  
図１３は、この第５の実施形態におけるＩＰ電話システムの概略構成図であり、ＣＭＥはユーザシステムである。なお、図１３において、上記図１と同一部分には同一符号を付して詳細な説明を省略する。
【０１１０】
ユーザシステムＣＭＥは、電話機ＴＥと、ルータＲＴＥとを備えている。
【０１１１】
電話機ＴＥは、ルータＲＴＥを介して公衆電話網ＰＮＷに接続され、この公衆電話網ＰＮＷからさらにユーザシステムＣＭＡのルータＲＴＡに接続される。
【０１１２】
次に、上記システムの処理動作について説明する。
【０１１３】
（ＢＧＭ挿入手続き）  
ＩＰ電話機ＴＡは、通常の携帯電話または固定電話と同じように電話機ＴＥとの間に音声コネクションを確立する。
【０１１４】
（ＢＧＭコネクションの確立処理）  
音声コネクションの確立を確認したＩＰ電話機ＴＡは、次にＢＧＭサーバＳＶに対して接続要求を行う。すると、ＢＧＭ挿入ボタン１３１は、接続中を示す橙点滅になる。
【０１１５】
（ＢＧＭサーバの判定）  
ＢＧＭサーバＳＶは、接続要求を行なっているＩＰ電話機ＴＡがユーザエージェントが正当なユーザであるかを判定する。判定には、登録されているＩＰ電話番号と接続を求めているＩＰ電話機ＴＡとのＩＰ電話番号との比較により判定を行なう。
【０１１６】
（ＢＧＭサーバＳＶの認証）  
ＢＧＭサーバＳＶに発信者であるＩＰ電話機ＴＡが正当なユーザであると判定されると、ＢＧＭサーバＳＶとＩＰ電話機ＴＡ間に音楽用広帯域コネクションが確立される。判定エラーとなった場合には、ＩＰ電話機ＴＡのＢＧＭ挿入ボタン１３１は赤色点灯となり、サーバへの接続が失敗したことを示す。
【０１１７】
（非ＢＧＭＩＰ電話であることの判定）  
ＢＧＭサーバＳＶ−ＩＰ電話機ＴＡ間にコネクションの確立を確認したＩＰ電話機ＴＡは、受信側の電話機ＴＥに対して、ＢＧＭサーバＳＶに接続するように要求する。電話番号がＩＰ電話番号ではなく、携帯または固定電話であることを判定するとＢＧＭ挿入ボタン１３１は赤色点灯する。
【０１１８】
（受信先電話の通知）  
ＩＰ電話機ＴＡにおいて、ＢＧＭ挿入ボタン１３１が赤色点灯なると音声にて相手側がＢＧＭＩＰ電話でないことが告げられる。発信者は、ＢＭＧ挿入ボタン１３１を再度押して、電話機に状態を確認したことを通知する。
【０１１９】
（非ＢＧＭ対応電話へのＢＧＭ挿入操作）  
発信者は電話音質でのＢＧＭ挿入を希望する場合には、ＩＰ電話機ＴＡのミキシングボタン１３２を押す。
【０１２０】
（ＢＧＭと受信音声アナログミキシング処理）  
ＩＰ電話機ＴＡにおいて、ミキシングボタン１３２が押されると、ＢＧＭサーバＳＶから取得したＢＧＭを復調、Ｄ／Ａ変換する。アナログ変換されたＢＧＭデータは、ＢＧＭと受信音声アナログミキシングレベル調整器に入力される。ミキシングレベル調整器により受話器スピーカから出力されるレベルが自動調整される。またミキシングレベル調整器を手動で変更することにより任意のレベルにＢＧＭを設定することができる。
【０１２１】
（ＢＧＭとマイク音声のアナログミキシング処理）  
ＢＧＭサーバＳＶから受信したＢＧＭデータのＤ／Ａ変換後、マイク入力音声・ＢＧＭミキシングレベル調整器に入力される。マイク入力音声・ＢＧＭミキシングレベル調整器では、マイク入力音量レベルを基準にＤ／Ａ変換後のＢＧＭデータをＢＧＭレベルに調整する。
【０１２２】
（ＢＧＭとマイク入力音声のアナログミキシング処理）  
マイク入力音声・ＢＧＭミキシングレベル調整器でレベル調整が完了したアナログＢＧＭ信号は、「音声＋ＢＧＭミキシング器」に入力される。マイク入力音声とＢＧＭは「音声＋ＢＧＭミキシング器」でミキシングされる。
【０１２３】
（電話データへの変換）
音声とＢＧＭがミキシングされた後、ミキシングデータは、電話音質フィルター変換器により通常のＩＰ電話の音声変換手順に従い電話音質に変換される。
【０１２４】
（ミキシングデータの送出）  
変換されたマイク入力音声とＢＧＭミキシングデータはＬＡＮパケットフレーム化される。フレーム化が完了すると家庭内のルータＲＴＡに向かって送信される。ここではアナログミキシングの場合を示したが、デジタルミキシングすることも可能である。
【０１２５】
以上のように上記第５の実施形態では、通話相手が携帯電話や既存の固定電話の電話機ＴＥであり、ＢＧＭコネクションを確立できないものであっても、ＩＰ電話機ＴＡにより音声パケットとＢＧＭデータとを合成し、公衆電話網ＰＮＷ上に確立された音声コネクションを使用して音声パケット及びＢＧＭデータを電話機ＴＥに伝送するようにしているので、電話品質ではあるが電話機ＴＥのユーザは通話にあった音楽を楽しむことができる。
【０１２６】
（第６の実施形態）  
図１４は、この第６の実施形態におけるＩＰ電話システムの概略構成図である。なお、図１４において、上記図７及び図１３と同一部分には同一符号を付して詳細な説明を省略する。
【０１２７】
（個人コンテンツサーバとの接続）  
ＩＰ電話機ＴＣのユーザは、ＢＧＭとして使用する曲目を個人コンテンツサーバ１８から選択し、個人コンテンツサーバ１８出力とＩＰ電話機ＴＣを接続する。
【０１２８】
（ＢＧＭ挿入準備）  
ＢＧＭ挿入機能を使用する場合には、ＩＰ電話機ＴＣのユーザはＢＧＭ挿入ボタン１３１を押し、相手の電話機ＴＥに発信要求を送出する。すると、ＢＧＭ挿入ボタン１３１は、接続準備を示す榿点灯する。
【０１２９】
（音声コネクションの確立）  
ＩＰ電話機ＴＣは通常の固定電話動作と同じように発信者と受信者間に音声コネクションを確立する。
【０１３０】
（ＢＧＭコネクションの判定）  
発信側のＩＰ電話機ＴＣと受信側の電話機ＴＥとの音声コネクションが確立されたことが確認されると、発信側のＩＰ電話機ＴＣは、ＢＧＭコネクションの確立を実行する。ＩＰ電話機ＴＣは、電話機ＴＥが携帯電話・固定電話と判定すると、ＢＧＭ挿入ボタン１３１を赤色点灯させる。また音声にて相手側がＢＧＭＩＰ電話でないことが告げられる。
【０１３１】
（非ＢＧＭＩＰ電話との接続確認）  
発信者は、ＩＰ電話機ＴＣのＢＧＭ挿入ボタン１３１を再度押して、電話機に状態を確認したことを通知する。
【０１３２】
（非ＢＧＭＩＰ電話へのＢＧＭ挿入）  
発信者は電話音質でのＢＧＭ挿入を希望する場合には、ＩＰ電話機ＴＣのミキシングボタン１３２を押す。
【０１３３】
（ミキシング操作）  
ＩＰ電話機ＴＣにユーザがミキシングボタン１３２を押し、個人コンテンツサーバ１８の再生を開始する。
【０１３４】
（外部入力判定）  
個人コンテンツサーバ１８からのＢＧＭデータ形式（デジタル・アナログ）により、ＩＰ電話機ＴＣはその入力形式を判定する。
【０１３５】
［コンテンツ入力がデジタルの場合］
（復調と増幅）  
個人コンテンツサーバ１８から取得したＢＧＭを復調、Ｄ／Ａ変換する。アナログ変換されたデータは受話器スピーカアンプで増幅される。
【０１３６】
（受話器音へのミキシング）  
Ｄ／Ａ変換後のＢＧＭデータは、ミキシングレベル調整器に入力される。ミキシングレベル調整器では、受信音声レベルを基準にＤ／Ａ変換後のＢＧＭデータを自動的に設定されたＢＧＭレベルに増幅する。また手動操作によりＢＧＭミキシングレベルを任意に調整することも可能である。出力制御器により出力先を選択する。
【０１３７】
（マイク入力音声とＢＧＭミキシング）  
Ｄ／Ａ変換後のＢＧＭデータは、ミキシングレベル調整器で自動的にＢＧＭミキシングレベル調整が行なわれる。ミキシングレベル調整完了したアナログＢＧＭ信号は、音声＋ＢＧＭミキシング器に入力される。マイク入力音声とＢＧＭは「マイク入力音声＋ＢＧＭミキシング器」で適正なミキシングが行なわれる。
【０１３８】
（送信データフォーマット変換）
マイク入力音声とＢＧＭがミキシングされた後、ミキシングデータは、通常のＩＰ電話の音声変換手順に従い電話音質に変換される。
【０１３９】
（音声とＢＧＭ音楽ミキシングデータの送出）  
変換されたミキシングデータはＬＡＮパケットフレーム化される。フレーム化が完了すると家庭内のルータＲＴＣに向かって送信される。
【０１４０】
［コンテンツ入力がアナログの場合］
（入力レベル変換）  
入力されたアナログデータは、レベル変換器でレベル変換される。変換されたデータは送信ミキシングレベル調整器に入力される。
【０１４１】
（受話器音へのミキシング）  
Ｄ／Ａ変換後のＢＧＭデータは、ミキシングレベル調整器に入力される。ミキシングレベル調整器では、受信音声レベルを基準にＤ／Ａ変換後のＢＧＭデータを自動的に設定されたＢＧＭレベルに増幅する。また手動操作によりＢＧＭミキシングレベルを任意に調整することも可能である。出力制御器により出力先を選択する。
【０１４２】
（マイク入力音声とＢＧＭミキシング）  
Ｄ／Ａ変換後のＢＧＭデータは、ミキシングレベル調整器で自動的にＢＧＭミキシングレベル調整が行なわれる。ミキシングレベル調整完了したアナログＢＧＭ信号は、音声＋ＢＧＭミキシング器に入力される。マイク入力音声とＢＧＭは「マイク入力音声＋ＢＧＭミキシング器」で適正なミキシングが行なわれる。
【０１４３】
（送信データフォーマット変換）  
音声とＢＧＭがミキシングされた後、ミキシングデータは、通常のＩＰ電話の音声変換手順に従い電話音質に変換される。
【０１４４】
（音声とＢＧＭ音楽ミキシングデータの送出）  
変換されたミキシングデータはＬＡＮパケットフレーム化される。フレーム化が完了すると家庭内のルータＲＴＣに向かって送信される。ここではマイク入力音声とＢＧＭ及び受信音声とＢＧＭのミキシングについて、アナログミキシングの場合を示したがデジタルミキシングすることも可能である。
【０１４５】
以上のように上記第６の実施形態であっても、上記第５の実施形態と同様な作用効果が得られる。
【０１４６】
（その他の実施形態）  
なお、この発明は上記各実施形態に限定されるものではない。例えば、上記各実施形態では、ＢＧＭを通話相手に送信する例について説明したが、その他ジャズやロック等であってもよい。
【０１４７】
また、上記第１及び第２の実施形態において、電話音声とＢＧＭまたは音楽をミキシングするようにしてもよい。上記ＢＧＭミキシング制御部２０９にてミキシングするポイントによってはＢＧＭ・音楽データの高品位音質が失われる。そこで、ＢＧＭＩＰ電話では、ＢＧＭ・音楽データの高品質特性を受話器内で最大限に発揮できるように、図１５に示す如くミキシング制御処理を従来の電話音声処理後に実行することにより、電話音声とＢＧＭまたは音楽の品質を損なうことなくミキシングできる。
【０１４８】
一方、ＢＧＭ・音楽データを電話と同じ処理系で処理した場合、電話音質である約４．１ｋＨｚ（通過周波数帯域３００Ｈｚ〜３．７ｋＨｚ）のバンドパスフィルターを通過するため、高周波音域がカットされてしまう。このためＢＧＭＩＰ電話機では、電話音声処理とＢＧＭ・音楽処理を分離して実行する。電話音声、ＢＧＭ・音楽ともにアナログ変換終了後の最終段階でＢＧＭミキシング部２０９によりミキシングすることにより、変換ノイズなどの流入を防ぎ、クリアな音を再現する。ＢＧＭＩＰ電話では音声及びＢＧＭがデジタル化されているので、図１６に示すようなデジタルミキシングする方法も考えられる。
【０１４９】
その他、ＩＰ電話システムの構成や電話機の種類やその構成、ＢＧＭデータの送信手順等についても、この発明の要旨を逸脱しない範囲で種々変形して実施できる。
【図面の簡単な説明】
【０１５０】
【図１】この発明の第１の実施形態におけるＩＰ電話システムの概略構成図。
【図２】上記図１に示したＩＰ電話機の構成を示す斜視図。
【図３】上記図１に示したＩＰ電話機の機能構成を示すブロック図。
【図４】上記図１に示したＩＰ電話機に接続可能な周辺機器の一例を示す斜視図。
【図５】同第１の実施形態におけるＩＰ電話機と、主装置と、ＢＧＭサーバとの間における情報の送受信動作を示す概略シーケンス図。
【図６】上記図１に示したルータの構造図。
【図７】この発明の第２の実施形態におけるＩＰ電話システムの概略構成図。
【図８】同第２の実施形態におけるＩＰ電話機と、主装置との間における情報の送受信動作を示す概略シーケンス図。
【図９】この発明の第３の実施形態におけるＩＰ電話システムの概略構成図。
【図１０】同第３の実施形態において、ＩＰ電話機内で音声データとＢＧＭデータとをミキシングする処理を説明するために示す図。
【図１１】この発明の第４の実施形態におけるＩＰ電話システムの概略構成図。
【図１２】同第４の実施形態において、ＩＰ電話機内で音声データとＢＧＭデータとをミキシングする処理を説明するために示す図。
【図１３】この発明の第５の実施形態におけるＩＰ電話システムの概略構成図。
【図１４】この発明の第６の実施形態におけるＩＰ電話システムの概略構成図。
【図１５】この発明の第１及び第２の実施形態において、音声とＢＧＭのアナログミキシング処理例を説明するために示す図。
【図１６】この発明の第１及び第２の実施形態において、音声とＢＧＭのデジタルミキシング処理例を説明するために示す図。
【符号の説明】
【０１５１】
１１…表示部、１２…ダイヤルキー、１３…制御キー、１４…ハンドセット、１５…コネクタ、１６…ヘッドセット、１８…個人コンテンツサーバ、１３１…ＢＧＭ挿入ボタン、１３２…ミキシングボタン、１４１…スピーカ、１４２…マイクロホン、２０１…ネットワーク制御部、２０２…コーディックＤＳＰ、２０３…ＭＣＵ、２０４…ＲＯＭ、２０５…ＲＡＭ、２０６…音声入力レベル変換部、２０７…音声入力Ａ／Ｄ変換部、２０８…音声出力Ｄ／Ａ変換部、２０９…ＢＧＭミキシング制御部、２１０…増幅部、２１１…キー入力制御部、２１２…ＢＧＭ出力Ｄ／Ａ変換部、２１５…音声入力選択制御部、２１６…外部出力選択制御部、２２０…外部ＢＧＭデジタル入力フォーマット変換部、ＴＡ，ＴＢ、ＴＣ…ＩＰ電話機、ＰＣ…パーソナル・コンピュータ、ＢＴ…ＳＩＰサーバ、ＳＶ…ＢＧＭサーバ、ＩＰＮ…ＩＰネットワーク、ＲＴＡ〜ＲＴＥ…ルータ。
【図１】
2007274480.tif 000003
【図２】
2007274480.tif 000004
【図３】
2007274480.tif 000005
【図４】
2007274480.tif 000006
【図５】
2007274480.tif 000007
【図６】
2007274480.tif 000008
【図７】
2007274480.tif 000009
【図８】
2007274480.tif 000010
【図９】
2007274480.tif 000011
【図１０】
2007274480.tif 000012
【図１１】
2007274480.tif 000013
【図１２】
2007274480.tif 000014
【図１３】
2007274480.tif 000015
【図１４】
2007274480.tif 000016
【図１５】
2007274480.tif 000017
【図１６】
2007274480.tif 000018